【手続補正書】
【提出日】平成19年9月13日(2007.9.13)
【手続補正１】
【補正対象書類名】特許請求の範囲
【補正対象項目名】全文
【補正方法】変更
【補正の内容】
【特許請求の範囲】
【請求項１】
複数の構造的にリンクされた文書のうちの１つの文書にスコアを割り当てる方法において、該文書は、（Ａ）同じシンボリックホスト名を有する複数のウェブページを含むサーバ、（Ｂ）同じドメインに関連する複数のウェブページを含むサーバ、および（Ｃ）同じＩＰアドレスに関連する複数のウェブページを有するサーバ、のうちの少なくとも１つによって定義されるウェブサーバ上に位置し、該文書は、いずれに位置する場合であれ、前記複数の構造的にリンクされた文書のうちの少なくとも１つの他の文書からの少なくとも１つのバックリンクを有し、
前記ウェブサーバ上に位置する文書の数に反比例するスコアを前記文書に割り当てる  ことを特徴とする文書にスコアを割り当てる方法。
【請求項２】
前記少なくとも１つの他の文書の数に比例するスコアを前記文書に割り当てる
ことをさらに含むことを特徴とする請求項１に記載の方法。
【請求項３】
前記少なくとも１つの他の文書のうちの少なくとも１つに割り当てられた少なくとも１つのスコアに比例するスコアを割り当てる
ことをさらに含むことを特徴とする請求項１に記載の方法。
【請求項４】
（Ａ）前記少なくとも１つの他の文書の数、および（Ｂ）前記少なくとも１つの他の文書のうちの少なくとも１つに割り当てられた少なくとも１つのスコア、に比例するスコアを割り当てる
ことをさらに含むことを特徴とする請求項１に記載の方法。
【請求項５】
前記少なくとも１つの他の文書のうちの少なくとも１つの文書のアウトリンク（outlinks）の数に反比例するスコアを前記文書に割り当てる
ことをさらに含むことを特徴とする請求項２に記載の方法。
【請求項６】
前記割り当てることが、前記文書と同じドメインに位置する文書の数に反比例するスコアを前記文書に割り当てることを含むことを特徴とする請求項１に記載の方法。
【請求項７】
前記割り当てることが、前記文書と同じシンボリックホスト名を有する文書の数に反比例するスコアを前記文書に割り当てることを含むことを特徴とする請求項１に記載の方法。
【請求項８】
前記割り当てることが、前記文書と同じインターネットプロトコル（ＩＰ）アドレスに関連する文書の数に反比例するスコアを前記文書に割り当てることを含むことを特徴とする請求項１に記載の方法。
【請求項９】
前記第１の文書にリンクしている前記少なくとも１つの他の文書のスコアの合計を取ることに基づくスコアを前記文書に割り当てる
ことをさらに含むことを特徴とする請求項１に記載の方法。
【請求項１０】
前記複数の構造的にリンクされた文書が、ハイパーリンクを有するウェブページであり、前記文書がウェブページであることを特徴とする請求項１に記載の方法。
【請求項１１】
ウェブ検索サービスのコンポーネントに前記文書のスコアを出力することをさらに含むことを特徴とする請求項１に記載の方法。
【請求項１２】
好ましい文書の集合に、平均最低スコアよりも高いスコアを割り当てることをさらに含むことを特徴とする請求項１に記載の方法。
【請求項１３】
前記好ましい文書の集合が、ニールセン視聴率、人間により割り当てられた格付け、ＩＳＰプロキシログから抽出されたウェブページ利用パターン、検索エンジンから抽出されたウェブページ利用パターン、およびユーザ選好に従って指定された文書の少なくとも１つに基づくことを特徴とする請求項１２に記載の方法。
【請求項１４】
第２のスコアリング技法に基づいて前記文書のスコアを変更することをさらに含むことを特徴とする請求項１に記載の方法。
【請求項１５】
異常な結果を発見するために前記スコアを第２のスコアリング技法と比較することをさらに含むことを特徴とする請求項１に記載の方法。
【請求項１６】
請求項１に記載の方法を実施するためのコンピュータ実行可能命令を有するコンピュータ実行可能モジュールを備えたことを特徴とするアプリケーションプログラミングインタフェース。
【請求項１７】
請求項１に記載の方法を実施する手段を備えたことを特徴とするコンピューティングデバイス。
【請求項１８】
複数の構造的にリンクされた文書のうちの１つの文書にスコアを割り当てる方法において、該文書は、（Ａ）同じシンボリックホスト名を有する複数のウェブページを含むサーバ、（Ｂ）同じドメインに関連する複数のウェブページを含むサーバ、および（Ｃ）同じＩＰアドレスに関連する複数のウェブページを有するサーバ、のうちの少なくとも１つによって定義されるウェブサーバ上に位置し、該文書は、前記複数の構造的にリンクされた文書のうちの少なくとも１つのソース文書からの少なくとも１つのバックリンクを有し、前記文書のスコアが、前記少なくとも１つのソース文書のうちの少なくとも１つに関連する少なくとも１つのスコアに比例して計算され、前記スコアが、前記ウェブサーバ上に位置する前記少なくとも１つのソース文書の数に反比例して計算される
ことを特徴とする文書にスコアを割り当てる方法。
【請求項１９】
前記スコアが、同じウェブサーバ上に位置する前記少なくとも１つのソース文書の数に反比例して計算されることを特徴とする請求項１８に記載の方法。
【請求項２０】
前記スコアが、同じシンボリックホスト名を有する前記少なくとも１つのソース文書の数に反比例して計算されることを特徴とする請求項１９に記載の方法。
【請求項２１】
前記スコアが、同じドメインに関連する前記少なくとも１つのソース文書の数に反比例して計算されることを特徴とする請求項１９に記載の方法。
【請求項２２】
前記スコアが、同じインターネットプロトコル（ＩＰ）アドレスに関連する前記少なくとも１つのソース文書の数に反比例して計算されることを特徴とする請求項１９に記載の方法。
【請求項２３】
前記複数の構造的にリンクされた文書が、ハイパーリンクを有するウェブページであり、前記文書がウェブページであることを特徴とする請求項１８に記載の方法。
【請求項２４】
請求項１８に記載の方法を実施するためのコンピュータ実行可能命令を有するコンピュータ実行可能モジュールを備えたことを特徴とするアプリケーションプログラミングインタフェース。
【請求項２５】
請求項１８に記載の方法を実施する手段を備えたことを特徴とするコンピューティングデバイス。
【請求項２６】
問合せ要求に基づいてウェブページ情報および関連するスコアのデータベースに問い合わせる問合せメカニズムを備えた検索エンジンとともに使用するためのアプリケーションプログラミングインタフェースであって、それによって、該データベースから取得された結果が各結果に関連するスコアによって順序付けられ、該スコアが前記問合せを満たすウェブページの品質を反映する、アプリケーションプログラミングインタフェースと、
前記ウェブページ情報に関連するスコアを生成するスコアリングオブジェクトであって、少なくとも１つの対応するソースウェブページへの少なくとも１つのバックリンクを有するウェブページに対して、該スコアリングオブジェクトが、該少なくとも１つの対応するソースウェブページのうちの少なくとも１つに関連する少なくとも１つのスコアに比例するスコアを該ウェブページに割り当て、該スコアが、同じウェブサーバ上に位置する前記少なくとも１つの対応するソースウェブページの数に反比例して計算される、スコアリングオブジェクトと
を備えたことを特徴とするサーバオブジェクト。
【請求項２７】
前記スコアリングオブジェクトが、前記問合せメカニズムとは独立に動作することを特徴とする請求項２６に記載のサーバオブジェクト。
【請求項２８】
ウェブサーバが、共通のシンボリックホスト名に基づいて定義されることを特徴とする請求項２６に記載のサーバオブジェクト。
【請求項２９】
ウェブサーバが、共通ドメインに基づいて定義されることを特徴とする請求項２６に記載のサーバオブジェクト。
【請求項３０】
ウェブサーバが、共通のインターネットプロトコル（ＩＰ）アドレスに基づいて定義されることを特徴とする請求項２６に記載のサーバオブジェクト。
【請求項３１】
複数の構造的にリンクされた文書のうちの１つの文書にスコアを割り当てるためのコンピュータ実行可能命令を含むコンピュータ実行可能モジュールを備えたコンピュータ可読媒体において、該文書は、ウェブサーバ上に位置し、前記複数の構造的にリンクされた文書のうちの少なくとも１つの他の文書からの少なくとも１つのバックリンクを有し、該モジュールが、
前記ウェブサーバ上に位置する文書の数に反比例するスコアを前記文書に割り当てる手段
を備えたことを特徴とするコンピュータ可読媒体。
【請求項３２】
前記少なくとも１つの他の文書の数に比例するスコアを前記文書に割り当てる手段  をさらに含むことを特徴とする請求項３１に記載のコンピュータ可読媒体。
【請求項３３】
前記少なくとも１つの他の文書のうちの少なくとも１つに割り当てられた少なくとも１つのスコアに比例するスコアを割り当てる手段
をさらに含むことを特徴とする請求項３１に記載のコンピュータ可読媒体。
【請求項３４】
（Ａ）前記少なくとも１つの他の文書の数、および（Ｂ）前記少なくとも１つの他の文書のうちの少なくとも１つに割り当てられた少なくとも１つのスコア、に比例するスコアを割り当てる手段
をさらに含むことを特徴とする請求項３３に記載のコンピュータ可読媒体。
【請求項３５】
前記少なくとも１つの他の文書のうちの少なくとも１つの文書のアウトリンクの数に反比例するスコアを前記文書に割り当てる手段
をさらに含むことを特徴とする請求項３２に記載のコンピュータ可読媒体。
【請求項３６】
前記割り当てる手段が、前記文書と同じシンボリックホスト名を有するウェブサーバ上に位置する文書の数に反比例するスコアを前記文書に割り当てる手段を含むことを特徴とする請求項３１に記載のコンピュータ可読媒体。
【請求項３７】
前記割り当てる手段が、前記文書と同じドメインに位置する文書の数に反比例するスコアを前記文書に割り当てる手段を含むことを特徴とする請求項３１に記載のコンピュータ可読媒体。
【請求項３８】
前記割り当てる手段が、前記文書と同じインターネットプロトコル（ＩＰ）アドレスに関連する文書の数に反比例するスコアを前記文書に割り当てる手段を含むことを特徴とする請求項３１に記載のコンピュータ可読媒体。